(57)【要約】【課題】社会貢献の程度を表すものは存在しない。【解決手段】商品毎に商品情報を記憶する商品マスタと、前記商品マスタの各商品情報に対応して社会貢献に寄与する社会貢献ポイントを記憶する社会貢献記憶部と、商品販売データ処理装置から入力された商品情報に対応する前記社会貢献ポイントを前記社会貢献記憶部から読み出す社会貢献ポイント読出手段と、前記社会貢献ポイント読出手段によって読み出された前記社会貢献ポイントを前記商品販売データ処理装置に出力する第１の出力手段と、を備える。【選択図】図１２
2014142890.tif 000002
【特許請求の範囲】
【請求項１】
商品毎に商品情報を記憶する商品マスタと、
前記商品マスタの各商品情報に対応して社会貢献に寄与する社会貢献ポイントを記憶する社会貢献記憶部と、
商品販売データ処理装置から入力された商品情報に対応する前記社会貢献ポイントを前記社会貢献記憶部から読み出す社会貢献ポイント読出手段と、
前記社会貢献ポイント読出手段によって読み出された前記社会貢献ポイントを前記商品販売データ処理装置に出力する第１の出力手段と、
を備えた情報処理装置。
【請求項２】
前記商品マスタは、前記商品毎に当該商品が社会貢献ポイントの対象商品か否かを記憶する対象商品記憶部を備え、
前記社会貢献ポイント読出手段は、前記商品販売データ処理装置から入力された商品情報に対応する商品が前記対象商品である場合に、当該商品情報に対応する前記社会貢献ポイントを前記社会貢献記憶部から読み出す、
請求項１に記載の情報処理装置。
【請求項３】
前記第１の出力手段は、前記社会貢献ポイント読出手段によって読み出された前記社会貢献ポイントを前記商品を製造する製造メーカ毎に合計し、合計した合計ポイント値を当該製造メーカ向けに出力する、
請求項１または２に記載の情報処理装置。
【請求項４】
顧客毎に購入した商品の商品情報および商品購入情報を記憶する顧客ファイルと、
前記顧客ファイルに、前記社会貢献ポイント読出手段によって読み出された前記社会貢献ポイントを前記顧客毎に累計して記憶する累計記憶部と、
前記商品販売データ処理装置から入力された顧客を特定する情報で特定される顧客の前記累計記憶部に記憶した累計ポイントを前記商品販売データ処理装置に出力する第２の出力手段と、
を備えた請求項１から３のいずれかに記載の情報処理装置。
【請求項５】
商品情報を取得する商品情報取得手段と、
前記商品情報取得手段によって取得した商品情報に基づき商品販売の処理を実行する商品データ処理手段と、
前記商品情報取得手段によって取得した商品情報に基づいて社会貢献に寄与する社会貢献ポイントを取得する社会貢献ポイント取得手段と、
前記社会貢献取得手段によって取得した当該商品の前記社会貢献ポイントを報知する報知手段と、
を備えた商品販売データ処理装置。
【請求項６】
商品毎に商品情報を記憶する商品マスタと、前記商品マスタの各商品情報に対応して社会貢献に寄与する社会貢献ポイントを記憶する社会貢献記憶部と、を備えたコンピュータを、
商品販売データ処理装置から入力された商品情報に対応して前記社会貢献記憶部から前記社会貢献ポイントを読み出す社会貢献ポイント読出手段と、
前記社会貢献ポイント読出手段によって読み出された前記社会貢献ポイントを前記商品販売データ処理装置に出力する第１の出力手段と、
して機能させるためのプログラム。
【発明の詳細な説明】
【技術分野】
【０００１】
本発明の実施の形態は、情報処理装置、商品販売データ処理装置およびプログラムに関する。
【背景技術】
【０００２】
近年、企業の社会貢献の一例として、所定の金額や売上げ金額に応じた金額を寄付することが知られている。また、特定の商品に、社会貢献ポイントと称した所定金額を商品の販売価格に含めることで、その商品を購入した場合に社会貢献ポイント分の金額が社会貢献として自動的に寄付される仕組みも構築されている。
【発明の概要】
【発明が解決しようとする課題】
【０００３】
ところで、上記の社会貢献に参加する人にとって、どの程度社会貢献に寄与したかを評価することは興味の対象となる。また、どの程度寄与したかを評価することができれば、参加意欲の更なる増強にも繋がり、これから社会貢献に参加したい人の動機付けともなる。しかしながら、現状社会貢献の程度を表すようなものは存在しない。
【課題を解決するための手段】
【０００４】
実施の形態の情報処理装置は、商品毎に商品情報を記憶する商品マスタと、前記商品マスタの各商品情報に対応して社会貢献に寄与する社会貢献ポイントを記憶する社会貢献記憶部と、商品販売データ処理装置から入力された商品情報に対応する前記社会貢献ポイントを前記社会貢献記憶部から読み出す社会貢献ポイント読出手段と、前記社会貢献ポイント読出手段によって読み出された前記社会貢献ポイントを前記商品販売データ処理装置に出力する第１の出力手段と、を備える。
【０００５】
実施の形態の商品販売データ処理装置は、商品情報を取得する商品情報取得手段と、前記商品情報取得手段によって取得した商品情報に基づき商品販売の処理を実行する商品データ処理手段と、前記商品情報取得手段によって取得した商品情報に基づいて社会貢献に寄与する社会貢献ポイントを取得する社会貢献ポイント取得手段と、前記社会貢献取得手段によって取得した当該商品の前記社会貢献ポイントを報知する報知手段と、を備える。
【０００６】
実施の形態のプログラムは、商品毎に商品情報を記憶する商品マスタと、前記商品マスタの各商品情報に対応して社会貢献に寄与する社会貢献ポイントを記憶する社会貢献記憶部と、を備えたコンピュータを、商品販売データ処理装置から入力された商品情報に対応して前記社会貢献記憶部から前記社会貢献ポイントを読み出す社会貢献ポイント読出手段と、前記社会貢献ポイント読出手段によって読み出された前記社会貢献ポイントを前記商品販売データ処理装置に出力する第１の出力手段と、して機能させる。
【図面の簡単な説明】
【０００７】
【図１】図１は、商品の表示例を示す図である。
【図２】図２は、商品の価格の構成を示す図である。
【図３】図３は、本実施の形態のシステムを示す図である。
【図４】図４は、ＳＣ１のブロック図である。
【図５】図５は、ＳＣ１のメモリマップである。
【図６】図６は、ＳＣ１の他のメモリマップである。
【図７】図７は、ＰＯＳ端末２のブロック図である。
【図８】図８は、ＳＣ１の機能ブロック図である。
【図９】図９は、ＰＯＳ端末２の機能ブロック図である。
【図１０】図１０は、ＰＯＳ端末２のフローチャートである。
【図１１】図１１は、発行されたレシートの一例である。
【図１２】図１２は、ＳＣ１のフローチャートである。
【図１３】図１３は、ＳＣ１の更に他のメモリマップである。
【発明を実施するための形態】
【０００８】
以下、添付図面を参照して、本実施の形態に係る情報処理装置、商品販売データ処理装置およびプログラムを詳細に説明する。なお、以下に説明する本実施の形態により、この発明が限定されるものではない。
【０００９】
本実施の形態において、社会貢献とは、法人や団体や個人が、公益あるいは公共益に資する活動である。例えば、社会貢献は、地球環境の改善や保全を目的とするボランティア活動や国際貢献活動等である。
【００１０】
製造メーカがこのような社会貢献に寄付をする形で参加する場合、一つのやり方として、特定の商品の価格に社会貢献ポイントに相当する金額を含ませる方法がある。社会貢献に賛同する顧客が当該商品を購入すると、商品価格のうち社会貢献ポイントに相当する金額を製造メーカが集める。製造メーカは、集めた社会貢献ポイントに相当する金額を、しかるべきルートを通して寄付する。このような仕組みであれば、広く社会貢献にかかる金銭を集めることができ、これを寄付するという形で社会貢献に寄与できる。顧客は、該当する商品を購入するだけで、気軽に簡単に社会貢献に参加することができる。
【００１１】
図１は、社会貢献ポイントに参加している商品の一例である。ペットボトル４に記載された商品名付近に、例えば「製品価格には社会貢献ポイント（１０円分）が含まれています」等の説明５が記載されている。顧客は、この説明５の有無と内容を見て、商品が社会貢献ポイントが付与される商品であるか否かを識別する。社会貢献に積極的に参加している顧客は、この説明５の記載を見て社会貢献に参加している商品を探して購入する。また社会貢献に参加していない顧客は、当該説明５が記載されていない商品を探して購入する。なお、上記の説明５に代えて、商品に「社会貢献参加商品」等の目立つ表示をしてもよい。
【００１２】
図２は、商品の価格の構成分析を示す図である。商品の価格６は、主に原価７と経費８とからなる。原価７は、店舗が卸売り業者から当該商品を購入した価格である。経費８は、店舗を運営するのに必要な、例えば人件費、光熱費、管理費等と、店舗が得る利益等で構成される。通常は、原価７と経費８とで商品の価格が設定される。本実施の形態では、原価７と経費８に、さらに社会貢献ポイント分のポイント金額９を加算して商品の価格６が構成されている。
【００１３】
図３は、情報処理装置であるＳＣ（ストアコンピュータ）１と、商品販売データ処理装置であるＰＯＳ（Point  of  Sales）端末２とを有するシステムの構成を示す図である。ＳＣ１と複数台のＰＯＳ端末２とはＬＡＮ（Local  Area  Network）回線３で接続されている。ＳＣ１は、例えば店舗の事務所に設置されている。ＰＯＳ端末２は、例えば店舗の精算所に設置されている。
【００１４】
店舗において、顧客が買物をすると、オペレータが、商品の商品コードをＰＯＳ端末２から入力する。入力は、商品に付されたバーコードをバーコードリーダ６４で読み取る形で行われる。ＰＯＳ端末２は、入力された商品コードに基づいて商品情報をＳＣ１からＬＡＮ回線３を介して読み出す。読み出した商品情報に基づき、商品名や商品価格を表示する。また商品情報を処理して当該顧客の情報として、ＬＡＮ回線３を介してＳＣ１に送信する。ＳＣ１は、すべてのＰＯＳ端末２から送信された商品情報を店舗単位や顧客単位で集計して記憶する。
【００１５】
図４は、本実施の形態のＳＣ1のハードウェア構成を示すブロック図である。図４において、ＳＣ１は、制御主体となるＣＰＵ（Central  Processing  Unit）１１、各種プログラムを記憶するＲＯＭ（Read  Only  Memory）１２、ＣＰＵ１１のワークエリアとして機能するＲＡＭ（Random  Access  Memory）１３、各種プログラムを記憶するＨＤＤ等で構成されたメモリ部１４等を備える。ＣＰＵ１１、ＲＯＭ１２、ＲＡＭ１３、メモリ部１４は、互いにデータバス１５を介して接続されている。
【００１６】
ＣＰＵ１１、ＲＯＭ１２、ＲＡＭ１３及びメモリ部１４は、制御部１００を構成する。制御部１００は、ＣＰＵ１１がＲＯＭ１２やメモリ部１４に記憶されＲＡＭ１３に展開されたプログラムに従って動作することによって、後述する制御処理を実行する。
【００１７】
ＲＡＭ１３は、各種データも記憶する。メモリ部１４は、商品に関する商品情報を記憶した商品マスタ７１や顧客単位で顧客が購入した商品情報を記憶する顧客マスタ８１を記憶している。ここで、商品情報は、商品を特定するための商品コード、商品名、商品価格、商品の属性等を含む。
【００１８】
また、データバス１５は、操作部２１と表示部２２とをコントローラ３１を介して接続している。操作部２１は、キーボードや表示部２２上に配置したタッチパネル等を有し、オペレータは操作部２１から情報を入力する。また、データバス１５は、ＬＡＮＩ／Ｆ（Interface）３３を介してＬＡＮ回線３に接続している。
【００１９】
図５は、ＳＣ１のメモリ部１４に記憶される商品マスタ７１の一例を模式的に示す図である。図５において、商品マスタ７１は、データ項目として商品コード部７２を有している。また、商品マスタ７１は、商品コード部７２に対応させて、商品名部７３、商品価格部７４、販売数部７５、合計金額部７６、社会貢献参加フラグ部７７、社会貢献ポイント部７８、および社会貢献累計ポイント部７９を、データ項目として有している。
【００２０】
商品コード部７２は、商品を特定する商品コードを記憶している。商品名部７３は、商品の商品名を記憶する。商品価格部７４は商品の価格を記憶している。販売数部７５は、商品毎の当該店舗での販売個数を記憶している。合計金額部７６は、当該店舗で販売した商品毎の合計金額を記憶している。
【００２１】
社会貢献参加フラグ部７７は、当該商品が社会貢献に参加しているか否かを判断するためのフラグを記憶している。フラグが「１」の商品は、当該商品が社会貢献に参加していることを示し、フラグが「０」の商品は、当該商品が社会貢献に参加していないことを示す。本実施の形態では、商品コードが「１」の商品と商品コードが「４」の商品が社会貢献参加フラグ部７７が「１」であり、社会貢献に参加している。商品コードが「２」の商品と商品コードが「３」の商品は、社会貢献参加フラグ部７７が「０」であり、社会貢献に参加していない。
【００２２】
社会貢献ポイント部７８は、社会貢献ポイントの数値を記憶する。ここで「社会貢献ポイント」とは、当該商品の購入に対して支払われる社会貢献に係る金額等の度合いを、所定の指標に基づき示した数値である。公的機関等の第３機関が評価を定めたものであってもよい。公的機関が評価した社会貢献ポイントであれば、社会的に公平に評価されたものとすることができる。本実施の形態では、商品コードが「１」の商品の一商品あたりの社会貢献するポイントは２０ポイントであり、商品コードが「４」の商品の一商品あたりの社会貢献するポイントは３０ポイントである。本実施の形態では、１ポイント１円に換算され、寄付されるものとする。したがって、商品コード「１」の商品は、商品が一個販売されると２０ポイント分の２０円が社会貢献に寄付される。商品コード「４」の商品は、商品が一個販売されると３０ポイント分の３０円が社会貢献に寄付される。
【００２３】
社会貢献累計ポイント部７９は、店舗において、商品毎の社会貢献ポイントを累計した累計ポイント数を記憶する。社会貢献ポイントの累計は、例えば、商品販売の締め処理の実行時に行われる。本実施の形態では、商品コード「１」の商品の一商品あたりの社会貢献ポイントが２０ポイントで、商品の販売数が５００個であるので、累計社会貢献ポイントは１００００ポイントとなる。商品コード「４」の商品の一商品あたりの社会貢献ポイントが３０ポイントで、商品の販売数が６０個であるので、累計社会貢献ポイントは１８００ポイントとなる。
【００２４】
図６は、ＳＣ１のメモリ部１４に記憶される顧客マスタ８１の一例を模式的に示す図であり、ある一人の顧客の顧客マスタ８１を示している。図６において、顧客マスタ８１は、顧客を特定する顧客コードの単位で顧客別に販売情報を記憶する。顧客マスタ８１は、データ項目として商品コード部８２を有する。また、顧客マスタ８１は、商品コード部８２に対応させて、商品名部８３、商品価格部８４、販売数部８５、合計金額部８６、社会貢献参加フラグ部８７、社会貢献ポイント部８８、および社会貢献累計ポイント部８９を、データ項目として有している。なお、顧客マスタ８１が有するデータ項目は図６の例に限らず、例えば顧客の購入履歴等を記憶するデータ項目を有してもよい。
【００２５】
商品コード部８２は、ある特定の顧客が購入した商品を特定する商品コードを記憶している。商品名部８３は、商品コードに対応した商品の商品名を記憶する。商品価格部８４は商品コードに対応した商品の価格を記憶している。販売数部８５は、商品毎の当該店舗での販売個数を記憶している。合計金額部８６は、当該店舗で販売した商品毎の合計金額を記憶している。
【００２６】
社会貢献参加フラグ部８７は、当該商品が社会貢献に参加しているか否かを判断するためのフラグを記憶している。フラグが「１」の場合、当該商品が社会貢献に参加していることを示し、フラグが「０」の場合、当該商品が社会貢献に参加していないことを示す。本実施の形態では、商品コードが「１」の商品と商品コードが「４」の商品が社会貢献参加フラグ部８７が「１」であり、社会貢献に参加している。商品コードが「２」の商品と商品コードが「３」の商品は、社会貢献参加フラグ部８７が「０」であり、社会貢献に参加していない。
【００２７】
社会貢献ポイント部８８は、社会貢献ポイントの数値を記憶する。本実施の形態では、商品コードが「１」の商品の一商品あたりの社会貢献ポイントは２０ポイントであり、商品コードが「４」の商品の一商品あたりの社会貢献ポイントは３０ポイントである。本実施の形態では、１ポイント１円に換算され、寄付される。したがって、商品コード「１」の商品は、商品が一個販売されると２０ポイント分の２０円が社会貢献に寄付される。商品コード「４」の商品は、商品が一個販売されると３０ポイント分の３０円が社会貢献に寄付される。
【００２８】
社会貢献累計ポイント部８９は、当該顧客が購入した商品について、商品毎の社会貢献ポイントを累計した累計ポイント数を記憶する。累計ポイントは、当該顧客が商品を購入する毎に当該商品の社会貢献ポイントが累計される。本実施の形態では、商品コード「１」の商品の一商品あたりの社会貢献ポイントが２０ポイントで、当該顧客への商品の販売数が２０個であるので、累計社会貢献ポイントは４００ポイントとなる。商品コード「４」の商品の一商品あたりの社会貢献ポイントが３０ポイントで、当該顧客への商品の販売数が６個であるので、累計社会貢献ポイントは１８０ポイントとなる。
【００２９】
顧客別社会貢献合計ポイント部９０は、当該顧客が購入したすべての商品によって付与される、社会貢献ポイントを合計した顧客別社会貢献合計ポイント数を記憶する。すなわち、顧客別社会貢献合計ポイント部９０に記憶された社会貢献ポイント数は、社会貢献累計ポイント部８９に記憶された社会貢献ポイントをすべて加算した合計数である。本実施の形態の場合、商品コード「１」の商品の累計社会貢献ポイントである４００ポイントと、商品コード「４」の累計社会貢献ポイントである１８０ポイントとの合計で５８０ポイントである。
【００３０】
図７は、本実施の形態のＰＯＳ端末２のハードウェア構成を示すブロック図である。図７において、ＰＯＳ端末２は、制御主体となるＣＰＵ４１、各種プログラムを記憶するＲＯＭ４２、ＣＰＵ４１のワークエリアとして機能するＲＡＭ４３、各種プログラムを記憶するＨＤＤ等で構成されたメモリ部４４等を備える。ＣＰＵ４１、ＲＯＭ４２、ＲＡＭ４３、メモリ部４４は、互いにデータバス４５を介して接続されている。
【００３１】
ＣＰＵ４１、ＲＯＭ４２、ＲＡＭ４３及びメモリ部４４は、制御部２００を構成する。制御部２００は、ＣＰＵ４１がＲＯＭ４２やメモリ部４４に記憶されＲＡＭ４３に展開されたプログラムに従って動作することによって、後述する制御処理を実行する。
【００３２】
ＲＡＭ４３は、各種データも記憶する。ＲＡＭ４３のバッファ４６には、商品コードの他に、ＳＣ１から受信した商品名や商品価格等の情報や、後述する社会貢献ポイントや顧客別社会貢献合計ポイントの情報等も記憶する。バッファ４６の記憶内容は、一顧客への取引処理が終了した時点でクリアする。
【００３３】
また、データバス４５は、操作部６１と表示部６２とプリンタ６３とバーコードリーダ６４をコントローラ５１を介して接続している。操作部６１は、キーボードや表示部６２上に配置したタッチパネル等を有し、オペレータは操作部６１から情報を入力する。表示部６２は、商品名や商品価格、合計金額等を表示する。プリンタ６３は、締め処理に応じて顧客が購入した商品の商品情報、合計金額、社会貢献ポイント９６、および顧客別社会貢献合計ポイント９７等を印字したレシートを発行する。バーコードリーダ６４は、商品に付されたバーコードシンボルから商品コードを光学的に読み取る。また、データバス４５は、ＬＡＮＩ／Ｆ（Interface）５５を介してＬＡＮ回線３に接続している。
【００３４】
図８は、ＳＣ１の機能ブロック図である。ＳＣ１は、制御部１００がＲＯＭ１２やメモリ部１４に記憶された各種プログラムに従い動作することで、社会貢献ポイント読出手段１０１、第１の出力手段１０２および第２の出力手段１０３を実現する。
【００３５】
社会貢献ポイント読出手段１０１は、商品販売データ処理装置２から入力された商品情報に対応して社会貢献記憶部から社会貢献ポイントを読み出す機能を有する。本実施の形態では、商品販売データ処理装置２から入力された商品情報に対応して社会貢献記憶部である商品マスタ７１から社会貢献ポイントを読み出す機能を有する。
【００３６】
第１の出力手段１０２は、社会貢献ポイント読出手段１０１によって読み出された社会貢献ポイントを商品販売データ処理装置２に出力する機能を有する。
【００３７】
第２の出力手段１０３は、累計記憶部に記憶した累計ポイントを商品販売データ処理装置２に出力する機能を有する。本実施の形態では、顧客マスタ８１に記憶した顧客別社会貢献合計ポイント部９０に記憶した合計ポイントを、商品販売データ処理装置２に送信する。
【００３８】
図９は、ＰＯＳ端末２の機能ブロック図である。ＰＯＳ端末２は、制御部２００がＲＯＭ４２やメモリ部４４に記憶された各種プログラムに従い動作することで、商品情報取得手段２０１、商品データ処理手段２０２、社会貢献ポイント取得手段２０３および報知手段２０４を実現する。
【００３９】
商品情報取得手段２０１は、商品情報を取得する機能を有する。本実施の形態では、商品マスタ７１から商品情報を取得する。
【００４０】
商品データ処理手段２０２は、商品情報取得手段２０１によって取得した商品情報に基づき商品販売の処理を実行する機能を有する。
【００４１】
社会貢献ポイント取得手段２０３は、商品情報取得手段２０１によって取得した商品情報に基づいて社会貢献に寄与する社会貢献ポイントを取得する機能を有する。
【００４２】
報知手段２０４は、社会貢献ポイント取得手段２０３によって取得した当該商品の社会貢献ポイントを報知する機能を有する。本実施の形態では、社会貢献ポイントを印字したレシートを発行する。この社会貢献ポイントは、社会貢献ポイント、あるいは社会貢献合計ポイントを意味する。
【００４３】
図１０は、ＰＯＳ端末２の処理を示すフローチャートである。図１０において、制御部２００（商品情報取得手段）は、商品コードの入力の有無を判断する（ステップＳＰ１１）。ここで、制御部２００は、バーコードリーダ６４で商品に付されたバーコードを読み取ったときに商品コードが入力されたと判断する。商品コードが入力されたと判断した場合は（ステップＳＰ１１のＹｅｓ）、制御部２００は、入力された商品コードに対する商品名や商品価格等の商品情報についてＳＣ１に問い合わせを行い（ステップＳＰ１２）、当該商品情報を受信するまで待機する（ステップＳＰ１３のＮｏ）。ＳＣ１から商品情報を受信したと判断した場合は（ステップＳＰ１３のＹｅｓ）、制御部２００（社会貢献ポイント取得手段）は次に、商品情報とともに社会貢献ポイントの数値情報を受信したか否かを判断する（ステップＳＰ１４）。社会貢献ポイントの数値情報を受信したと判断した場合は（ステップＳＰ１４のＹｅｓ）、制御部２００（商品データ処理手段）は、受信した商品情報と社会貢献ポイントの数値情報をＲＡＭ４３のバッファ４６に記憶する（ステップＳＰ１５）。ここで、社会貢献ポイントの数値情報を受信した場合、同時に顧客別社会貢献合計ポイントも受信して、バッファ４６に記憶する。一方、社会貢献ポイントの数値情報を受信していないと判断した場合は（ステップＳＰ１４のＮｏ）、制御部２００（商品データ処理手段）は、受信した商品情報をＲＡＭ４３のバッファ４６に記憶する（ステップＳＰ１６）。
【００４４】
また、ステップＳＰ１１において、商品コードの入力ではないと判断した場合は（ステップＳＰ１１のＮｏ）、制御部２００は、締め処理が実行されたかを判断する（ステップＳＰ２１）。締め処理は、操作部６１に設けられた締めキーを操作して、一顧客の取引業務を終了させる処理である。なお、顧客が持参した顧客カードを使用すると、顧客カードによる締め処理が実行される。
【００４５】
締め処理が実行されたと判断した場合は（ステップＳＰ２１のＹｅｓ）、制御部２００は、バッファ４６に記憶されている情報（当該顧客に販売された商品の商品情報や社会貢献ポイント情報）をＳＣ１に送信する（ステップＳＰ２２）。顧客カードによる締め処理が実行された場合は、ＰＯＳ端末２は、顧客カードから顧客を特定する顧客コードを読み取り、読み取った顧客コードを商品情報とともにＳＣ１に送信する。そして制御部２００（報知手段）は、ステップＳＰ２２で送信した内容をプリンタ６３で印字し、レシートを発行する（ステップＳＰ２３）。このレシートを見れば、顧客は社会貢献の程度を知ることができる。
【００４６】
図１１は、ステップＳＰ２３によって発行された本実施の形態によるレシート９１の一印字例である。図１１において、レシート９１には、店舗のロゴ９２、顧客カードで支払いをした場合の顧客を特定する顧客コード９３、購入した商品の商品名や商品価格等の商品情報９４、合計金額９５等が印字される。さらにレシート９１には、この取引において発生した社会貢献ポイントの数９６が印字される。さらに、後述するステップＳＰ５５でＳＣ１から受信した、当該顧客において今までに発生した社会貢献ポイントの顧客別合計ポイント数９７が印字される。合計ポイント数とは、今までに（例えば１年間）に当該顧客が対象商品を購入したことで発生した社会貢献ポイントの合計数をいう。本実施の形態では、図６に示すように、対象商品が商品コード「１」の商品と商品コード「４」の商品であり、合計ポイントは５８０ポイントである。顧客は、社会貢献ポイントの数９６や顧客別合計ポイント数９７の両方、あるいはいずれか一方を見ることで、社会貢献の程度を知る。なお、社会貢献ポイントが発生していない場合は、社会貢献ポイント９６は印字されない。
【００４７】
図１２は、ＳＣ１の処理を示すフローチャートである。図１２において、制御部１００は、ＰＯＳ端末２から商品情報の問い合わせのために商品コードを受信したかを判断する（ステップＳＰ３１）。商品コードを受信したと判断した場合は（ステップＳＰ３１のＹｅｓ）、制御部１００は、次に受信した商品コードの商品が社会貢献ポイントの対象商品であるか否かを判断する（ステップＳＰ３２）。この判断は、メモリ部１４に記憶されＲＡＭ１３に展開された商品マスタ７１において、受信した商品コードに対応して社会貢献参加フラグ部７７のフラグが「１」であれば、社会貢献ポイントの対象商品であると判断し、社会貢献参加フラグ部７７のフラグが「０」であれば、社会貢献ポイントの対象商品でないと判断する。
【００４８】
社会貢献ポイントの対象商品であると判断した場合は（ステップＳＰ３２のＹｅｓ）、制御部１００（社会貢献ポイント読出手段）は、受信した商品コードに対応した商品情報（商品名や単価等）を商品マスタ７１から読み出し（ステップＳＰ３３）、かつ受信した商品コードに対応した社会貢献ポイント部７８から社会貢献ポイントを商品マスタ７１から読み出す（ステップＳＰ３３）。次に制御部１００（第１の出力手段）は、ステップＳＰ３３で読み出した商品情報と社会貢献ポイントを、ＬＡＮ回線３を介してＰＯＳ端末２に送信する（ステップＳＰ３４）。
【００４９】
また、社会貢献ポイントの対象商品でないと判断した場合は（ステップＳＰ３２のＮｏ）、制御部１００は、商品マスタ７１から受信した商品コードに対応した商品情報（商品名や単価等）を読み出す（ステップＳＰ４１）。次に制御部１００は、ステップＳＰ４１で読み出した商品情報を、ＬＡＮ回線３を介してＰＯＳ端末２に送信する（ステップＳＰ４２）。
【００５０】
また、商品コードを受信していないと判断した場合は（ステップＳＰ３１のＮｏ）、制御部１００は、ＰＯＳ端末２で締め処理が実行された情報を受信したか否かを判断する（ステップＳＰ５１）。受信したと判断した場合は（ステップＳＰ５１のＹｅｓ）、制御部１００は、商品マスタ７１の更新を実行する（ステップＳＰ５２）。商品マスタ７１の更新は、締め処理が実行された情報と同時に受信したバッファ４６の内容に基づいて実行される。すなわち、商品コード毎に、販売数部７５の販売個数、合計金額部７６の合計金額、社会貢献累計ポイント部７９の累計ポイント数、および社会貢献ポイント部７８のポイント数を加算する。
【００５１】
次に制御部１００は、同時に顧客コードを受信したかを判断する（ステップＳＰ５３）。顧客コードは、ステップＳＰ２１の締め処理時に顧客が顧客カードでの支払いをした場合に、ステップＳＰ２２でＳＣ１に送信される。顧客コードを受信したと判断した場合は（ステップＳＰ５３のＹｅｓ）、制御部１００は顧客マスタ８１の更新を実行する（ステップＳＰ５４）。顧客マスタ８１の更新は、受信したバッファ４６の内容に基づいて実行される。すなわち、当該顧客の顧客マスタに対し、販売数部８５の販売個数、合計金額部８６の合計金額、社会貢献累計ポイント部８９の値、および顧客別社会貢献合計ポイント部９０の値を更新する。そして、制御部１００（第２の出力手段）は、顧客別社会貢献合計ポイント部９０の合計ポイント数をＰＯＳ端末２に送信する（ステップＳＰ５５）。これによって、顧客は、社会貢献の程度を知ることができる。また、顧客コードを受信していないと判断した場合は（ステップＳＰ５３のＮｏ）、ステップＳＰ５４を実行せずにステップＳＰ５５に進む。
【００５２】
また、締め処理が実行された情報を受信していないと判断した場合は（ステップＳＰ５１のＮｏ）、制御部１００は、操作部２１等の操作によって、あるいは自動的に、社会貢献ポイントを製造メーカに送信する処理が実行されたかを判断する（ステップＳＰ６１）。処理が実行されたと判断した場合は（ステップＳＰ６１のＹｅｓ）、制御部１００は、商品マスタ７１のデータを基に製造メーカ別に社会貢献ポイントを集計する（ステップＳＰ６２）。商品マスタ７１には、各商品毎に製造メーカの情報が記憶されており、この製造メーカの情報に基づいて、社会貢献ポイントが製造メーカ別に集計される。集計された社会貢献ポイントは、当該製造メーカに送信される（ステップＳＰ６３）。
【００５３】
図１３は、製造メーカ別に社会貢献ポイントを集計した集計結果の一例を示す図である。この図１３では、製造メーカＡ社についての集計結果を示している。ステップＳＰ６２において、商品コード１の商品の社会貢献累計ポイント「１００００」と、商品コード４の商品の社会貢献累計ポイント「１８００」とを合計し、社会貢献合計ポイント部８０に「１１８００」ポイントが集計される。各商品コードに対応した社会貢献累計ポイントと、集計された社会貢献合計ポイント部８０の社会貢献合計ポイントは、Ａ社に送信される。Ａ社は、対象商品である商品コード１の商品と商品コード４の商品が、１１８００ポイント分の社会貢献をしたデータを受信して得る。このような社会貢献のデータを、例えば１年に１回製造メーカに送信することで、製造メーカはこのデータを収集して、ポイントに応じた金額の寄付をする。また、送信されたポイントの収集データから社会貢献の程度を知り、今後の社会貢献活動に活かすことができる。
【００５４】
このような本実施の形態の情報処理装置では、商品を購入した場合に自動的に社会貢献ポイントを出力するため、どの程度社会貢献をしたかの程度が分かる。
【００５５】
また、本実施の形態の情報処理装置によれば、社会貢献ポイントの対象商品である場合に社会貢献ポイントを付与するため、社会貢献ポイントの対象商品と非対象の商品とが混在しても対応できる。
【００５６】
また、本実施の形態の情報処理装置によれば、製造メーカ別に社会貢献の合計ポイントを出力するため、製造メーカは、どの程度社会貢献に寄与しているかの度合いを知ることができる。
【００５７】
また、本実施の情報処理装置の形態によれば、顧客毎に社会貢献ポイントの合計を出力するため、顧客は、どの程度社会貢献しているかの度合いを知ることができる。
【００５８】
また、本実施の形態の商品販売データ処理装置によれば、商品販売データ処理時に社会貢献ポイントを取得して報知するため、顧客は、商品購入により今回の社会貢献ポイントあるいは今までの合計ポイントを知ることができる。
【００５９】
なお、本実施の形態は、例として提示したものであり、発明の範囲を限定することは意図していない。これらの新規な実施の形態は、その他の様々な形態で実施されることが可能であり、発明の要旨を逸脱しない範囲で、種々の省略、置き換え、変更を行うことができる。これらの実施の形態やその変形は、発明の範囲や要旨に含まれるとともに、特許請求の範囲に記載された発明とその均等の範囲に含まれる。
【００６０】
例えば、本実施の形態では、レシートに、社会貢献ポイント９６と社会貢献合計ポイント９７の両方を印字したが、何れか一方でもよい。
【００６１】
また、本実施の形態では、ＳＣ１に商品マスタ７１と顧客マスタ８１を備えるようにしたが、ＰＯＳ端末２に備えてもよい。
【００６２】
また、本実施の形態では、製造メーカに商品コードに対応した社会貢献累計ポイントと、これらを集計した社会貢献合計ポイントを送信したが、何れか一方でもよい。
【００６３】
また、本実施の形態では、ＰＯＳ端末２において、社会貢献ポイントをレシートに印字したが、顧客用表示部に表示してもよい。
【００６４】
本実施の形態の情報処理装置で実行されるプログラムは、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００６５】
また、本実施の形態の情報処理装置で実行されるプログラムを、インターネット等のネットワークに接続されたコンピュータ上に格納し、ネットワーク経由でダウンロードさせることにより提供するように構成してもよい。また、本実施の形態の情報処理装置で実行されるプログラムをインターネット等のネットワーク経由で提供または配布するように構成してもよい。
【００６６】
また、本実施の形態の情報処理装置で実行されるプログラムを、ＲＯＭ等に予め組み込んで提供するように構成してもよい。
【符号の説明】
【００６７】
１００  制御部
１０１  社会貢献ポイント読出手段
１０２  第１の出力手段
１０３  第２の出力手段
２００  制御部
２０１  商品情報取得手段
２０２  商品データ処理手段
２０３  社会貢献ポイント取得手段
２０４  報知手段
【先行技術文献】
【特許文献】
【００６８】
【特許文献１】特開２００６−１９５６４７号公報
【図１】
2014142890.tif 000003
【図２】
2014142890.tif 000004
【図３】
2014142890.tif 000005
【図４】
2014142890.tif 000006
【図５】
2014142890.tif 000007
【図６】
2014142890.tif 000008
【図７】
2014142890.tif 000009
【図８】
2014142890.tif 000010
【図９】
2014142890.tif 000011
【図１０】
2014142890.tif 000012
【図１１】
2014142890.tif 000013
【図１２】
2014142890.tif 000014
【図１３】
2014142890.tif 000015